(57)【要約】【課題】磁気センサを遊技盤の裏側に位置する裏部品に設けるとともに、このように磁気センサを裏部品の設けても、当該磁気センサが、遊技盤の前側における検出範囲を狭くすることなく検出機能を良好に発揮し得るようにした遊技機を提供する。【解決手段】磁気センサＳ６は、裏球通路部品の両導入路部の間の空間領域に対応する取り付け板の両開口部の間の板部位に対向するように、裏カバー９０の裏壁９１のうち矩形開口部９１ａの斜め左下側部位にその内側から支持されている。  【選択図】図１０
2017189454.tif 000002
【特許請求の範囲】
【請求項１】
遊技盤を設けてなる遊技機本体と、
前記遊技盤にその裏側から設けられる裏部品と、
前記遊技盤に形成してなる盤面部品取り付け用開孔部にその前側から対向するように前記遊技盤の盤面に設けられる入賞装置とを備える遊技機において、
前記盤面部品取り付け用開孔部に対向するように前記裏部品に支持される磁気センサを備えることを特徴とする遊技機。
【請求項２】
前記裏部品は、
前記遊技盤にその裏側から設けられる裏カバーと、
前記遊技盤に形成してなる中央開口部に対向するように前記裏カバーに組み付けられる表示装置とを備えており、
前記磁気センサは、前記盤面部品取り付け用開孔部に対向するように前記裏カバーに設けられることを特徴とする請求項１に記載の遊技機。
【発明の詳細な説明】
【技術分野】
【０００１】
本発明は、パチンコ遊技機や弾球遊技機などの遊技機に関する。
【背景技術】
【０００２】
従来、この種の遊技機においては、下記特許文献１に記載のパチンコ遊技機が提案されている。当該パチンコ遊技機においては、磁気センサが遊技盤の前面に設けられている。
【先行技術文献】
【特許文献】
【０００３】
【特許文献１】特開２０１５−１６００６４号公報
【発明の概要】
【発明が解決しようとする課題】
【０００４】
ところで、上述の構成では、磁気センサが上述のように遊技盤の前面に設けられていることで、当該磁気センサによる検出範囲が、遊技盤の前面側の領域をより広くし得るとしても、一般に、パチンコ遊技機は、ホール側において一定期間ごとに新たな遊技機に交換しなければならない。
【０００５】
ここで、遊技機を新たな遊技機に交換する際には、コスト低減等の経済性の見地から、遊技機の各種部品のうち、メーカーとしての商品性が低い機枠や中枠等の交換を必要としない交換不要部品については、交換せず、そのまま利用し、メーカーとしての商品性が高い遊技盤や前扉のような交換を必要とする交換必要部品のみを交換したいというホール側の要請がある。
【０００６】
しかしながら、磁気センサが、機枠や中枠と同様に交換不要部品であるにもかかわらず、磁気センサが、上述のように遊技盤の前面に設けられていると、当該磁気センサも、遊技機の交換時期には、遊技盤と共に交換しなければならず、ホール側にとって不経済になるという不具合を招く。
【０００７】
そこで、本発明は、以上のようなことに対処するため、磁気センサを遊技盤の裏側に位置する裏部品に設けるとともに、このように磁気センサを裏部品の設けても、当該磁気センサが、遊技盤の前側における検出範囲を狭くすることなく検出機能を良好に発揮し得るようにした遊技機を提供することを目的とする。
【課題を解決するための手段】
【０００８】
上記課題の解決にあたり、本発明に係る遊技機は、請求項１の記載によれば、
遊技盤（１０）を設けてなる遊技機本体（Ｂ）と、
遊技盤にその裏側から設けられる裏部品（８０、９０）と、
遊技盤に形成してなる盤面部品取り付け用開孔部（１２〜１４）にその前側から対向するように前記遊技盤の盤面に設けられる入賞装置（３０、４０、６０ｂ〜６０ｄ、７０）とを備える。
【０００９】
当該遊技機において、
上記盤面部品取り付け用開孔部に対向するように裏部品に支持される磁気センサ（Ｓ６）を備えることを特徴とする。
【００１０】
このように、磁気センサが遊技盤の盤面部品取り付け用開孔部に対向するように裏部品に支持される。ここで、盤面部品取り付け用開孔部の前後両側においては、入賞口装置が存在するのみで、他の構成部品やベニヤ板の積層体等の密集した構成を伴うことなく、簡単な構成となっている。従って、磁石センサを、上述のごとく、盤面部品取り付け用開孔部に対向するように裏部品に支持することで、磁石センサは、その磁気の流れを妨げられたり磁気を減少させたりすることなく、良好な磁気検出機能を発揮し得る。
【００１１】
また、磁気センサは、上述のごとく、裏部品に支持されている。ここで、裏部品は、前扉や遊技盤とは異なり、機枠等のようにメーカーとしての商品性が低く、当該遊技機を新たな遊技機にする際に、交換を必要としない交換不要部品である。
【００１２】
従って、当該遊技機の交換時期が到来しても、磁気センサは、新たな磁気センサに交換することなく、そのまま、裏カバーと共に、新たな遊技機において利用され得る。その結果、磁気センサの新品を入手する必要もなく、コスト低減につながる。
【００１３】
また、本発明は、請求項２の記載によれば、請求項１に記載の遊技機において、
裏部品は、
遊技盤にその裏側から設けられる裏カバー（９０）と、  
遊技盤に形成してなる中央開口部（１０ａ）に対向するように裏カバーに組み付けられる表示装置（１００）とを備えており、
磁気センサは、上記盤面部品取り付け用開孔部に対向するように裏カバーに設けられることを特徴とする。
【００１４】
これによれば、磁気センサ及び表示装置が、別々の部品ではなく、同一の部品である裏カバーに設けられていることから、磁気センサ及び表示装置を設ける部品が単一の部品で済み、当該遊技機の構成がより一層簡単になる。その他の作用効果請求項１に記載の発明と同様である。
【００１５】
なお、請求項１において、「磁気センサは、盤面部品取り付け用開孔部にその前側から対向する」とは、「磁気センサは、盤面部品取り付け用開孔部を通して投影されたとき、その投影領域内にある」ことをいう。
【発明の効果】
【００１６】
本発明によれば、磁石センサを、遊技盤の盤面部品取り付け用開孔部に対向するように裏部品に支持することで、磁石センサは、その磁気の流れを妨げられたり磁気を減少させたりすることなく、良好な磁気検出機能を発揮し得る。また、磁気センサは裏部品に支持されているから、当該遊技機の交換時期が到来しても、磁気センサは、新たな磁気センサに交換することなく、そのまま、交換を必要としない交換不要部品である裏カバーと共に、新たな遊技機において利用され得る。その結果、磁気センサの新品を入手する必要もなく、コスト低減につながる。
【００１７】
なお、上記各手段の括弧内の符号は、後述する実施形態に記載の具体的手段との対応関係を示す。
【図面の簡単な説明】
【００１８】
【図１】本発明に係るパチンコ遊技機の第１実施形態を示す部分破断前面図である。
【図２】図１のパチンコ遊技機の裏面図である。
【図３】図１のパチンコ遊技機の遊技盤を示す前面図である。
【図４】図３の遊技盤を示す斜視図である。
【図５】図４の遊技盤の部分破断拡大斜視図である。
【図６】図４の遊技盤を、各種盤面部品を省略して、普通入賞口ユニット及び裏球通路部品を分解して示す分解斜視図である。
【図７】図６の普通入賞口ユニットをその裏側に位置する磁気センサと共に示す前面図である。
【図８】図７の普通入賞口ユニットをその裏側に位置する磁気センサと共に示す平面図である。
【図９】図６の裏球通路部品を示す拡大斜視図である。
【図１０】図２の裏カバーを演出表示装置及び磁気センサと共に示す斜視図である。
【図１１】図１のパチンコ遊技機の電子制御システムを示すブロック回路図である。
【図１２】図１１の主制御装置及びセンサ群を表すブロック回路図である。
【図１３】図１１の副制御装置、電源回路及び駆動素子群を表すブロック回路図である。
【図１４】図７の磁気センサを示す拡大斜視図である。
【図１５】図１４の磁気センサの長手方向検出領域を示す模式的平面図である。
【図１６】図１４の磁気センサの幅方向検出領域を示す模式的平面図である。
【図１７】図１１の外部端子盤を示す詳細ブロック回路図である。
【図１８】図１１の主制御装置のマイクロコンピュータにより実行される主制御プログラムを表すフローチャートである。
【図１９】図１１の主制御装置のマイクロコンピュータにより実行される第１タイマー割り込み制御プログラムを表すフローチャートである。
【図２０】図１１の主制御装置のマイクロコンピュータにより実行される第２タイマー割り込み制御プログラムを表すフローチャートである。
【図２１】図１３のシステム制御部のマイクロコンピュータにより実行される演出制御プログラムを表すフローチャートの一部である。
【図２２】図１３のシステム制御部のマイクロコンピュータにより実行される演出制御プログラムを表すフローチャートの一部である。
【図２３】上記第１実施形態において、エラー表示、エラー音声及びエラー点滅を時間との関係にて示すタイミングチャートである。
【図２４】演出表示装置の表示パネルの全表面に亘り表示される所定のエラー画像を示す正面図である。
【図２５】本発明の第２実施形態の要部を示すエラー画像を示す正面図である。
【図２６】本発明の第３実施形態の要部である普通入賞口ユニットをその裏側に位置する磁気センサと共に示す拡大前面図である。
【図２７】図２６の普通入賞口ユニットをその裏側に位置する磁気センサと共に示す右側面図である。
【発明を実施するための形態】
【００１９】
以下、本発明の各実施形態を図面により説明する。
（第１実施形態）
図１及び図２は、本発明に係るパチンコ遊技機の第１実施形態を示す。当該パチンコ遊技機は、パチンコホール内の島に立設されるもので、このパチンコ遊技機は、図１及び図２のいずれかにて示すごとく、機枠Ｆ、遊技機本体Ｂ、前扉Ｄ及び裏ユニットＢＹにより構成されている。
【００２０】
遊技機本体Ｂは、その枠体（図示しない）にて、機枠Ｆに対し、前後方向に開閉可能に支持されている。当該遊技機本体Ｂは、図１或いは図３にて示すごとく、遊技盤１０を備えており、この遊技盤１０は、前扉Ｄの透明板Ｄｂ（後述する）の裏面側に位置するように、遊技機本体Ｂに設けられている。しかして、当該遊技盤１０は、その遊技領域１１（後述する）内に案内レール２０（後述する）を介し球発射装置（図示しない）からの遊技球を案内して遊技領域１１に沿い下方に向けて転動させる。
【００２１】
また、遊技機本体Ｂは、図３にて示すごとく、案内レール２０を備えており、当該案内レール２０は、遊技盤１０の盤面にその外周部に沿い設けられている。これにより、当該案内レール２０は、その内周側にて、遊技盤１０の盤面上に上述した遊技領域１１を形成する。
【００２２】
また、遊技機本体Ｂは、図３にて示すごとく、始動入賞口装置３０、始動入賞口装置４０、スルーゲート（図示しない）、普通入賞口ユニット６０及び大入賞口装置７０を備えており、始動入賞口装置３０、始動入賞口装置４０、上記スルーゲート、普通入賞口ユニット６０及び大入賞口装置７０は、図１にて示す各位置にて、遊技盤１０の盤面に遊技領域１１内にて組み付けられている。
【００２３】
始動入賞口装置３０は、センター構造物５０の下縁中央部の直下にて遊技盤１０に形成してなる盤面部品取り付け用開孔部１３（図６参照）にその前側から取り付けられている。この始動入賞口装置３０は、その始動入賞口（以下、第１始動入賞口ともいう）への遊技球の入賞に基づき、大当たり抽選（大当たりか否かの抽選）の機会を提供するとともに、所定数の賞球を払い出す契機を提供する。
【００２４】
なお、センター構造物５０は、遊技盤１０の中央開口部１０ａ（図７参照）の上側に設けられている。また、始動入賞口装置３０の第１入賞口への遊技球の入賞は、始動入賞口センサＳ１（図１２参照）により検出される。
【００２５】
始動入賞口装置４０は、両羽根を有する電動チューリップ部品からなるもので、当該始動入賞口装置４０は、普通電動役物としての役割を果たすべく、始動入賞口装置３０の直下に位置している。
【００２６】
この始動入賞口装置４０である電動チューリップ部品は、その始動入賞口（以下、第２始動入賞口ともいう）への遊技球の入賞を、両羽根の閉鎖状態にて規制し、また、当該両羽根の開放状態にて、第２始動入賞口への遊技球の入賞を容易にして、当該入賞に基づき所定数の賞球の払い出しの契機を与えるとともに、始動入賞口装置３０と同様に大当たり抽選の機会を提供する。なお、上記第２始動入賞口への遊技球の入賞は、始動入賞口センサＳ２（図１２参照）により検出される。
【００２７】
ここで、遊技球の上記スルーゲートに対する通過でもってなされる普通図柄の抽選において当選になると、当該始動入賞口装置４０は、その両羽根を、所定の解放時間ずつ、所定回数、開放するようになっている。
【００２８】
上記スルーゲートは、遊技盤１０の盤面の左側部位に設けられており、このスルーゲートは、その直上から遊技盤１０の盤面に沿い下方へ転動する遊技球に対し通過する機会を与える。これにより、当該スルーゲートは、その遊技球の通過に基づき、普通図柄の抽選の契機を提供する。
【００２９】
普通入賞口ユニット６０は、図１、図３、図４〜図８のいずれかにて示すごとく、取り付け板６０ａ及び３つの普通入賞口装置６０ｂ〜６０ｄでもって構成されている。
【００３０】
取り付け板６０ａは、図１或いは図６から分かるように、遊技盤１０に形成してなる盤面部品取り付け用開孔部１２にその前側から装着されている。本第１実施形態において、盤面部品取り付け用開孔部１２は、遊技盤１０の左下側部位にて、中央開口部１０ａの内周壁のうち左下側壁部に沿うように、左斜め下側へ緩やかな突状に湾曲する長手湾曲孔状に開孔形成されている。
【００３１】
当該取付け板６０ａは、図８或いは図９にて拡大して示すごとく、３つの開口部６１、６２、６３を有しており、３つの開口部６１、６２、６３は、取り付け板６０ａにその左側部位から右側部位にかけて形成されている。
【００３２】
３つの普通入賞口装置６０ｂ〜６０ｄは、図９にて示すごとく、取り付け板６０ａの各開口部６１、６２及び６３にその前側から対向するように取り付けられている。従って、両普通入賞口装置６０ｂ、６０ｃの間の空間領域は、取り付け板６０ａのうちの両開口部６１、６２の間の板部位に対向し、また、両普通入賞口装置６０ｃ、６０ｄの間の空間領域は、取り付け板６０ａのうちの両開口部６２、６３の間の板部位に対向する。
【００３３】
ここで、３つの普通入賞口装置６０ｂ、６０ｃ及び６０ｄは、それぞれ、普通入賞口６４、６５及び６６を有しており、これら各普通入賞口６４、６５及び６６は、それぞれ、上方へ開口するように形成されている。このため、各普通入賞口装置６０ｂ、６０ｃ或いは６０ｄは、遊技盤１０の盤面に沿い上方から転動する遊技球が普通入賞口６４、６５或いは６６に入賞したとき、当該遊技球を取り付け板６０ａの開口部６１、６２或いは６３を介し遊技盤１０の裏面側に位置する後述の裏球通路部品８０（裏樋部品８０）内へ転動させるようになっている。
【００３４】
しかして、３つの普通入賞口装置６０ｂ、６０ｃ及び６０ｄは、それぞれ、その各普通入賞口６４、６５及び６６への遊技球の入賞に伴い、所定数の賞球を払い出す契機を与える。
【００３５】
大入賞口装置７０は、図１にて示すごとく、始動入賞口装置３０の右側にて遊技盤１０に形成してなる盤面部品取り付け用開孔部１４にその前側から取り付けられており、この大入賞口装置７０は、その大入賞口を開くことによって、遊技盤１０の盤面に沿い転動する遊技球に対し大入賞口に入賞する機会を与える。また、当該大入賞口装置７０は、その大入賞口を閉鎖することによって、遊技球の大入賞口への入賞を規制する。
【００３６】
裏球通路部品８０は、その３つの導入路部８２〜８４（後述する）にて、遊技盤１０の盤面部品取り付け用開孔部１２を介し普通入賞口ユニット６０の取り付け板６０ａに対向するように遊技盤１０の盤面にその裏側から取り付けられている（図６参照）。
【００３７】
当該裏球通路部品８０は、図６或いは図９から分かるように、その前側（遊技盤１０の裏面側）から後側へ凹状に形成されており、当該裏球通路部品８０は、その前側にて、遊技盤１０の裏面に向けて開口している。
【００３８】
ここで、当該裏球通路部品８０は、図９にて拡大して示すごとく、連通路部８１及び３つの導入路部８２〜８４を備えている。連通路部８１は、裏球通路部品８０の下部に沿い左側から右側に向け下方へ傾斜状に形成されており、当該連通路部８１は、その前側にて、遊技盤１０の盤面のうち盤面部品取り付け用開孔部１２の下側部位に沿い対向して開口している。これにより、当該連通路部８１は、その前側にて、遊技盤１０の盤面の上記下側部位により閉じられることで、左側から右側に向け下方へ傾斜する傾斜状通路部として形成されている。
【００３９】
３つの導入路部８２〜８４のうち、導入路部８２は、連通路部８１の左端部から上方へ延出している。当該導入路部８２は、前側にて、盤面部品取り付け用開孔部１２の左端部を介し取り付け板６０ａの開口部６１（図８参照）に対向するように開口しており、当該導入路部８２は、その延出基端部にて、連通路部８１の左端部内にその上方から開口している。これにより、普通入賞口装置６０ｂにその開口部６４（図８参照）から入賞する遊技球は、取り付け板６０ａの開口部６１を通り導入路部８２内に転動し、当該導入路部８２の延出基端部から連通路部８１の左端部内に落下して当該連通路部８１によりその右端部に向け案内される。
【００４０】
導入路部８３は、連通路部８１の左右方向中間部から上方へ延出している。当該導入路部８３は、前側にて、盤面部品取り付け用開孔部１２の左右方向中間部を介し取り付け板６０ａの開口部６２（図８参照）に対向するように開口しており、当該導入路部８３は、その延出基端部にて、連通路部８１の左右方向中間部内にその上方から開口している。これにより、普通入賞口装置６０ｃにその開口部６５（図８参照）から入賞する遊技球は、取り付け板６０ａの開口部６２を通り導入路部８３内に転動し、当該導入路部８３の延出基端部から連通路部８１の左右方向中間部内に落下して当該連通路部８１によりその右端部に向け案内される。
【００４１】
導入路部８４は、連通路部８１の右端部から上方へ延出している。当該導入路部８４は、前側にて、盤面部品取り付け用開孔部１２の右端部を介し取り付け板６０ａの開口部６３（図８参照）に対向するように開口しており、当該導入路部８４は、その延出基端部にて、連通路部８１の右端部内にその上方から開口している。これにより、普通入賞口装置６０ｄにその開口部６６（図８参照）から入賞する遊技球は、取り付け板６０ａの開口部６３を通り導入路部８４内に転動し、当該導入路部８４の延出基端部から連通路部８１の右端部内に落下する。
【００４２】
また、当該裏球通路部品８０は、排出口部８５を有しており、当該排出口部８５は、導入路部８４の直下に位置するように、連通路部８１の右端部に形成されている。これにより、連通路部８１内に落下する遊技球は、当該連通路部８１の右端部から排出口部８５を通り遊技盤１０の裏側へ排出される。なお、本実施形態では、裏球通路部品８０は、導入路部８２から左側へ突出する突出部８６、導入路部８４から右側へ突出する突出部８７及び排出口部８５から左右に突出する両突出部８８にて、遊技盤１０にその裏側から取り付けられることで、遊技盤１０に支持されている。
【００４３】
裏ユニットＢＹは、図２にて示すごとく、遊技機本体Ｂにその裏側から遊技盤１０に対向するように組み付けられており、当該裏ユニットＢＹは、上述した裏球通路部品８０、裏カバー９０及び演出表示装置１００を備えている。
【００４４】
裏カバー９０は、図１０にて示すごとく、矩形状裏壁９１と、当該裏壁９１の外周縁部から前側（遊技盤１０側）へＬ字状に折れ曲がって延出する矩形環状周壁９２とにより構成されており、当該裏カバー９０は、矩形状裏壁９１を遊技盤１０に対向させて、矩形環状周壁９２にて、裏球通路部品８０を内包するように遊技盤１０に組み付けられている。
【００４５】
演出表示装置１００は、図１０にて示すごとく、裏カバー９０の裏壁９１の中央部に形成してなる矩形開口部９１ａにその裏側から対向するように、当該裏壁９１に組み付けられている。
【００４６】
ここで、当該演出表示装置１００は、その表示パネル１１０にて、裏壁９１の矩形開口部９１ａ及び遊技盤１０の中央開口部１０ａを通して前方を臨むようになっている。これにより、当該演出表示装置１００は、その表示パネル１１０により、遊技の進行に伴い、例えば、大当たり抽選の抽選結果に応じて複数の装飾図柄を変動表示したり、或いはエラー表示したりする等の種々の演出表示を行う。なお、本実施形態において、演出表示装置１００は、上述のごとく、裏カバー９０に設けられていることから、当該演出表示装置１００は、裏部品の１つでもある。
【００４７】
また、当該遊技機本体Ｂは、普通図柄表示器及び特別図柄表示器（図示しない）を備えている。これら普通図柄表示器及び特別図柄表示器は、案内レール２０の右下側にて、遊技盤１０の盤面の右下隅角部に配設されている。なお、上記普通図柄表示器は、上記スルーゲートを通過する遊技球に対する図柄抽選の結果に基づき、当たり図柄或いはハズレ図柄を表示する。また、上記特別図柄表示器は、遊技球の始動入賞口装置３０の始動入賞口への入賞に対する始動入賞口センサＳ１の検出出力に基づきなされる大当たり抽選に応じて、特別図柄変動を所定時間の間表示した後、当該大当たり抽選の結果に応じた特別図柄変動を停止表示する。例えば、大当たり抽選の結果が当たりであれば、上記特別図柄表示器は、当該当たりに対応した特別図柄変動を停止表示して、大入賞口装置７０による大入賞口の開放の契機を提供する。
【００４８】
前扉Ｄは、図１にて示すごとく、前枠Ｄａ及び透明板Ｄｂを有しており、当該前扉Ｄは、その前枠Ｄａの左縁部にて、遊技機本体Ｂの枠体の左縁部を介し、機枠Ｆの左縁部に前後方向に開閉可能に支持されている。また、透明板Ｄｂは、前枠Ｄａの中空部に嵌め込まれており、当該透明板Ｄｂは、遊技機本体Ｂの遊技盤１０にその前側から対向し得るようになっている。
【００４９】
当該前扉Ｄは、両スピーカーＳＰ及び枠ランプＷを備えている。両スピーカーＳＰは、前枠Ｄａの左右両側上部に設けられており、当該両スピーカーＳＰは、例えば、当該パチンコ遊技機における遊技中に大当たりになったとき音声による大当たり演出を行なったり、磁気エラーが発生したとき音声によるエラー演出を行う。
【００５０】
枠ランプＷは、例えば、当該パチンコ遊技機における遊技中に大当たりになったときレインボウ演出態様による大当たり光演出を行ったり、当該パチンコ遊技機における遊技者による遊技中に磁気エラーが発生したときエラー演出態様によるエラー光演出を行う。
【００５１】
また、当該前扉Ｄは、図１にて示すごとく、操作ハンドルＨ及び球受け皿Ｒを備えている。操作ハンドルＨは、球発射装置（図示しない）の一構成部品として、遊技機本体Ｂの右側下部にその前面側から支持されており、この操作ハンドルＨは、遊技者による操作のもと、上記球発射装置に供給される遊技球を遊技盤１０の遊技領域１１内に向け発射するようになっている。球受け皿Ｒは、払い出されてきた賞球など遊技球を一旦貯留するように、前扉Ｄの前枠Ｄａの下側にて遊技機本体Ｂに形成されている。しかして、球受け皿Ｒは、その内部に払い出される遊技球を一時的に貯留するとともに、当該貯留遊技球を、例えば、操作ハンドルＨの回動操作に伴い、上記球発射装置に供給する。
【００５２】
次に、上記パチンコ遊技機の電子制御システムについて説明する。当該電子制御システムは、図１１〜図１３のいずれかにて示すごとく、電源回路ＰＷ、センサ群Ｓ、主制御装置２００、外部端子盤３００及び副制御装置４００を備えている。
【００５３】
電源回路ＰＷは、遊技機本体Ｂの裏側右上部に設けられており、当該電源回路ＰＷは、図１１にて示すごとく、直流電源ＤＣ、電源スイッチＳＷ１及びクリアスイッチＳＷ２を備えている。直流電源ＤＣは、上記パチンコホール内に付設してある商用電源からの交流電圧を直流電圧に変換する。なお、直流電源ＤＣからの給電遮断は、当該直流電源ＤＣの故障或いは上記商用電源からの停電等の給電遮断でもって発生する。
【００５４】
電源スイッチＳＷ１は、そのオンにより、直流電源ＤＣからの直流電圧を当該パチンコ遊技機の電子制御システムやその他の各種電気部品に供給する。また、電源スイッチＳＷ１は、そのオフにより、直流電源ＤＣからの直流電圧を当該パチンコ遊技機の電子制御システムやその他の各種電気部品から遮断する。
【００５５】
クリアスイッチＳＷ２は、そのオン操作により、主制御装置２００のＲＡＭ２４０（後述する）の記憶データをクリアするための操作信号を発生ようになっている。
【００５６】
センサ群Ｓは、図１２にて示すごとく、始動入賞口センサＳ１、始動入賞口センサＳ２、各普通入賞口センサＳ３〜Ｓ５及び磁気センサＳ６でもって構成されている。
【００５７】
始動入賞口センサＳ１は、始動入賞口装置３０の第１始動入賞口内に設けられており、この始動入賞口センサＳ１は、その第１始動入賞口内に入賞する遊技球毎に当該遊技球の入賞を検出する。
【００５８】
始動入賞口センサＳ２は、始動入賞口装置４０の第２始動入賞口内に設けられており、この始動入賞口センサＳ２は、その第２始動入賞口に入賞する遊技球毎に当該遊技球の入賞を検出する。
【００５９】
普通入賞口センサＳ３は、普通入賞口装置６０ｂの入賞口６４内に設けられており、当該普通入賞口センサＳ３は、普通入賞口装置６０ｂの入賞口６４内に入賞する遊技球毎に、当該各遊技球の入賞を検出する。普通入賞口センサＳ４は、普通入賞口装置６０ｃの入賞口６５内に設けられており、当該普通入賞口センサＳ４は、普通入賞口装置６０ｃの入賞口６５内に入賞する遊技球毎に、当該各遊技球の入賞を検出する。また、普通入賞口センサＳ５は、普通入賞口装置６０ｄの入賞口６６内に設けられており、当該普通入賞口センサＳ５は、普通入賞口装置６０ｄの入賞口６６内に入賞する遊技球毎に、当該各遊技球の入賞を検出する。
【００６０】
磁気センサＳ６は、図７、図８及び図１０のいずれかにて示すごとく、その一側厚さ方向対向壁ｅ（後述する）でもって、裏球通路部品８０の両導入路部８３、８４の間の空間領域に対応する取り付け板６０ａの両開口部６２、６３の間の板部位に対向するように、裏カバー９０の裏壁９１のうち矩形開口部９１ａの斜め左下側部位にその内側（前側）から支持されている。
【００６１】
ここで、当該支持は、当該磁気センサＳ６を、その両側対向壁ａ、ｂ（後述する）のうち一側対向壁ａにて、図１０にて図示左方を臨み、他側対向壁ｂにて、図示右方を臨むように、配置することでなされている。本実施形態では、磁気センサＳ６としては、アルプス電気株式会社製ＨＧＤＦＰＡ００３Ａ型磁気センサが採用されている。なお、磁気センサＳ６は、裏カバー９０内に位置することから、裏部品の１つでもある。
【００６２】
当該磁気センサＳ６は、図１４にて示すごとく、両側長手方向対向壁ａ、ｂ、両側幅方向対向壁ｃ、ｄ及び両側厚さ方向対向壁ｅ、ｆでもって、扁平直方体形状に形成されている。
【００６３】
当該磁気センサＳ６は、図１４にて両側長手方向対向壁ａ、ｂを基準とする両側長手方向磁束分布でもって両側長手方向磁気検出領域Ｆａ、Ｆｂ（図１５参照）を形成するように構成されている。また、当該磁気センサＳ６は、図１４にて図示両側幅方向対向壁ｃ、ｄを基準とする両側幅方向磁束分布でもって両側幅方向磁気検出領域Ｆｃ、Ｆｄ（図１６参照）を形成するように構成されている。
【００６４】
ここで、当該磁気センサＳ６は、両側長手方向対向壁ａ、ｂのうちの一側長手方向対向壁ａに対する外側垂直方向において、感度の強い長手方向指向性を有する一側長手方向磁束分布でもって、上記一側長手方向磁気検出領域Ｆａ（図１５参照）を形成する。また、当該磁気センサＳ６は、他側長手方向対向壁ｂに対する外側垂直方向において、感度の強い長手方向指向性を有する他側磁束分布でもって、他側長手方向磁気検出領域Ｆｂ（図１５参照）を立体的に形成する。
【００６５】
また、当該磁気センサＳ６は、両側幅方向対向壁ｃ、ｄのうちの一側幅方向対向壁ｃに対する外側垂直方向において、感度の強い幅方向指向性を有する一側幅方向磁束分布でもって、一側幅方向磁気検出領域Ｆｃ（図１６参照）を形成する。また、当該磁気センサＳ６は、他側幅方向対向壁ｄに対する外側垂直方向において、感度の強い幅方向指向性を有する他側幅方向磁束分布でもって、他側幅方向磁気検出領域Ｆｄ（図１６参照）を立体的に形成する。
【００６６】
しかして、磁気センサＳ６は、その一側長手方向磁気検出領域Ｆａ内にて、磁石（図示しない）の磁気を検出すると、当該磁気センサＳ６は、ローレベルにて第１長手方向磁気検出信号を発生する。このことは、当該磁気センサＳ６は、一側長手方向磁気検出領域Ｆａ内における上記磁石の磁気を不正行為として検出しローレベルにて第１長手方向磁気検出信号を発生することを意味する。また、当該磁気センサＳ６は、その一側長手方向磁気検出領域Ｆａ内にて上記磁石の磁気を検出しなければ、当該磁気センサＳ６は、上記第１長手方向磁気検出信号をハイレベルにする。
【００６７】
また、磁気センサＳ６は、その他側長手方向磁気検出領域Ｆｂ内にて、上記磁石の磁気を検出すると、当該磁気センサＳ６は、ローレベルにて第２長手方向磁気検出信号を発生する。このことは、当該磁気センサＳ６は、他側長手方向磁気検出領域Ｆｂ内における上記磁石の磁気を不正行為として検出しローレベルにて第１長手方向磁気検出信号を発生することを意味する。また、当該磁気センサＳ６は、その他側磁気検出領域Ｆｂ内にて上記磁石の磁気を検出しなければ、当該磁気センサＳ６は、上記第２長手方向磁気検出信号をハイレベルにする。
【００６８】
また、磁気センサＳ６は、その一側幅方向磁気検出領域Ｆｃ内にて、上記磁石の磁気を検出すると、当該磁気センサＳ６は、ローレベルにて第１幅方向磁気検出信号を発生する。このことは、当該磁気センサＳ６は、一側幅方向磁気検出領域Ｆｃ内における上記磁石の磁気を不正行為として検出しローレベルにて第１幅方向磁気検出信号を発生することを意味する。また、当該磁気センサＳ６は、その一側幅方向磁気検出領域Ｆａ内にて上記磁石の磁気を検出しなければ、当該磁気センサＳ６は、上記第１幅方向磁気検出信号をハイレベルにする。
【００６９】
また、磁気センサＳ６は、その他側幅方向磁気検出領域Ｆｄ内にて、上記磁石の磁気を検出すると、当該磁気センサＳ６は、ローレベルにて第２幅方向磁気検出信号を発生する。このことは、当該磁気センサＳ６は、他側幅方向磁気検出領域Ｆｄ内における上記磁石の磁気を不正行為として検出しローレベルにて第２幅方向磁気検出信号を発生することを意味する。また、当該磁気センサＳ６は、その他側磁気検出領域Ｆｄ内にて上記磁石を検出しなければ、当該磁気センサＳ６は、上記第２幅方向磁気検出信号をハイレベルにする。
【００７０】
本実施形態において、当該磁気センサＳ６が検出可能な磁気の強さは、遊技盤１０の盤面を転動する遊技球を、例えば、始動入賞口装置３０等の入賞口装置や普通入賞口ユニット６０等に誘導し得る程度の強さである。
【００７１】
また、本実施形態において、上述のごとく裏カバー９０の裏壁９１に支持してなる磁気センサＳ６は、一側長手方向磁気検出領域Ｆａ内に普通入賞口装置６０ｃ及びその近傍を含み、他側長手方向磁気検出領域Ｆｂ内に普通入賞口装置６０ｄ及びその近傍を含むように、裏カバー９０の裏壁９１と普通入賞口部品６０との間の間隔が設定されている。
【００７２】
主制御装置２００は、図１１から分かるように、センサ群Ｓ、外部端子盤３００及び副制御装置４００の間に接続されており、当該主制御装置２００は、電源スイッチＳＷ１を介する直流電源ＤＣからの当該パチンコ遊技機への給電に伴い作動状態におかれる。
【００７３】
当該主制御装置２００は、マイクロコンピュータからなるもので、この主制御装置２００は、図１２にて示すごとく、ＣＰＵ２１０、ソフトタイマー２２０、ＲＯＭ２３０、ＲＡＭ２４０、入力ポート２５０、２５０ａ、各出力ポート２６０ａ、２６０ｂ及び入力回路２７０を備えている。
【００７４】
当該主制御装置２００は、ＣＰＵ２１０により、ソフトタイマー２２０のタイマー部（後述する）からの主パルス信号の発生毎に、図１８にて示すフローチャートに従い主制御プログラムを実行し、当該実行中において、主制御装置２００の各内部素子の初期化処理やクリアスイッチＳＷ２からの出力に基づきＲＡＭ２４０の記憶データのクリア処理等を行う。
【００７５】
ソフトタイマー２２０は、タイマー部、第１及び第２の補助タイマー部を備えており、当該タイマー部、第１及び第２の補助タイマー部は、それぞれ、当該パチンコ遊技機への電源投入（電源スイッチＳＷ１を介する直流電源ＤＣからの給電）に伴う主制御装置２００の作動開始と同時にリセットされて計時を開始し、この開始後、４（ｍｓ）の経過毎に、主パルス信号、第１及び第２の割り込みパルス信号を発生しＣＰＵ２１０に出力する。
【００７６】
また、当該主制御装置２００は、ＣＰＵ２１０により、ソフトタイマー２２０の第１補助タイマー部からの第１割り込みパルス信号の発生ごとに、図１９にて示すフローチャートに従い第１タイマー割り込みプログラムを実行する。
【００７７】
このような第１タイマー割り込みプログラムの実行中において、主制御装置２００は、ＣＰＵ２１０により、センサ群Ｓ（磁気センサＳ６を除く）  からのいずれかの出力に基づき、副制御装置４００の制御に要する種々の演算処理を行う。この演算処理の過程において、主制御装置２００は、ＣＰＵ２１０にて、ＲＯＭ２３０の記憶データ、ＲＡＭ２４０の記憶データ或いはセンサ群Ｓのいずれかからの出力等を入力されて、種々の演算処理を行い、外部端子盤３００及び副制御装置４００への出力処理をする。
【００７８】
また、当該主制御装置２００は、ＣＰＵ２１０により、ソフトタイマー２２０の第２補助タイマー部からの第２割り込みパルス信号の発生ごとに、図２０にて示すフローチャートに従い第２タイマー割り込みプログラムを実行する。この演算処理の実行中において、センサ群Ｓの磁気センサＳ６からの出力に基づきエラー判定に要する演算処理を行う。
【００７９】
ＲＯＭ２３０は、上述した主制御プログラム並びに第１及び第２のタイマー割り込み制御プログラムをＣＰＵ２１０による読み出し可能に予め記憶してなるものである。
【００８０】
ＲＡＭ２４０は、不揮発性ＲＡＭからなるバックアップＲＡＭである。当該ＲＡＭ２４０は、その記憶データを、主制御装置２００に対する直流電源ＤＣからの給電遮断以後も、そのまま、保持する。
【００８１】
なお、当該ＲＡＭ２４０は、不揮発性ＲＡＭに代えて、通常のＲＡＭ（一時的記憶素子）としてもよい。この場合には、当該一時的記憶素子は、その記憶内容を、直流電源ＤＣからの給電遮断以後、当該直流電源ＤＣとは独立したバックアップ電源（バックアップコンデンサからなる）からの給電もとに、そのまま、保持するようにする。
【００８２】
入力ポート２５０は、センサ群Ｓからの出力をＣＰＵ２１０に入力データとして入力する役割を果たす。また、入力ポート２５０ａは、入力回路２７０（後述する）からの出力をＣＰＵ２１０に入力する役割を果たす。
【００８３】
出力ポート２６０ａは、ＣＰＵ２１０からの出力を副制御装置４００のシステム制御部４００ａ（後述する）に出力データとして出力する役割を果たす。また、出力ポート２６０ｂは、ＣＰＵ２１０からの出力を出力データとして外部端子盤３００（後述する）に出力データとして出力する役割を果たす。
【００８４】
入力回路２７０は、図１２にて示すごとく、磁気センサＳ６と入力ポート２５０ａとの間に接続されており、当該入力回路２７０は、半導体スイッチング回路でもって構成されている。
【００８５】
ここで、当該入力回路２７０は、その出力段を構成する素子として、例えば、トランジスタを備えており、当該入力回路２７０は、磁気センサＳ６からのローレベルの第１或いは第２の長手方向磁気検出信号またはローレベルの第１或いは第２の幅方向磁気検出信号を受けて上記トランジスタを非導通（オフ）にするようにスイッチング作動し、ハイレベルの入力信号を発生する。また、ローレベルの第１或いは第２の長手方向磁気検出信号またはローレベルの第１或いは第２の幅方向磁気検出信号がハイレベルのとき、当該入力回路２７０は、上記トランジスタを導通（オン）にするようにスイッチング作動し、ローレベルの入力信号を発生する。
【００８６】
外部端子盤３００は、図１１にて示すごとく、主制御装置２００とパチンコホール内に設置してなるホールコンピュータＨＣとの間に接続されており、当該外部端子盤３００は、遊技機本体Ｂにその裏側にて電源回路ＰＷの近傍に配設されている（図２参照）。
【００８７】
当該外部端子盤３００は、図１７にて示すごとく、半導体スイッチング回路３１０と、端子板３２０とにより構成されている。半導体スイッチング回路３１０は、第１〜第１０の半導体スイッチング回路部（図示しない）でもって構成されており、当該第１〜第１０の半導体スイッチング回路部は、それぞれ、その導通（オン）により、対応の入力信号を端子板３２０に出力する。また、当該第１〜第１０の半導体スイッチング回路部は、それぞれ、その非導通（オフ）により、対応の入力信号の端子板３２０への出力を阻止する。
【００８８】
端子板３２０は、１０個のコネクターＮ１〜Ｎ１０を有しており、当該１０個のコネクターＮ１〜Ｎ１０は、コネクターＮ１からコネクターＮ１０にかけて配列されている。ここで、端子板３２０の１０個のコネクターＮ１〜Ｎ１０は、それぞれ、半導体スイッチング回路３１０の第１〜第１０の半導体スイッチング回路部に対応する。
【００８９】
このように構成される外部端子盤３００においては、主制御装置２００からのＲＡＭクリア信号、遊技開始信号、入賞信号及び大当たり信号が、半導体スイッチング回路３１０の第１、第３、第５、第９の半導体スイッチング回路部によりその導通のもと端子板３２０に出力される。これに伴い、端子板３２０は、その各コネクターＮ１、Ｎ３、Ｎ５、Ｎ９を介し、主制御装置２００からのＲＡＭクリア信号、遊技開始信号、入賞信号及び大当たり信号をホールコンピュータＨＣに出力する。
【００９０】
また、主制御装置２００が磁気エラー出力信号（後述する）を出力すると、当該磁気エラー出力信号は、ＲＡＭクリア信号と同様に、半導体スイッチング回路３１０の第１半導体スイッチング回路部によりその導通のもと端子板３２０に出力される。これに伴い、端子板３２０は、そのコネクターＮ１を介し、ＲＡＭクリア信号と同様に、磁気エラー出力信号をホールコンピュータＨＣに出力する。
【００９１】
副制御装置４００は、図１３にて示すごとく、システム制御部４００ａ、画像制御部４００ｂ及びランプ制御部４００ｃを備えており、当該副制御装置４００は、主制御装置２００と被駆動素子群ＤＲＶとの間に接続されている。
【００９２】
ここで、被駆動素子群ＤＲＶは、演出表示装置１００、両スピーカーＳＰ及び枠ランＷでもって構成されている。本実施形態において、両スピーカーＳＰは、上述のごとく、前扉Ｄの前枠Ｄａの左右上部内に設けられており、当該両スピーカーＳＰは、大当たり、リーチ、はずれ、エラー等の演出態様を音演出でもって行う。また、枠ランプＷは、上述のごとく前枠Ｄａに設けられており、当該枠ランプＷは、大当たり、リーチ、はずれ、エラー等の演出態様を光演出でもって行う。
【００９３】
システム制御部４００ａは、マイクロコンピュータからなるもので、当該システム制御部４００ａは、演出制御プログラムを、図２１及び図２２にて示すフローチャートに従い実行する。この実行中において、当該システム制御部４００ａは、主制御装置２００からの出力制御や画像制御部４００ｂからの要求のもとに、画像制御部４００ｂやランプ制御部４００ｃを制御するように種々の演算処理を行う。
【００９４】
画像制御部４００ｂは、マイクロコンピュータからなるもので、この画像制御部４００ｂは、画像表示制御プログラムを、所定のフローチャート（図示しない）に従い実行し、この実行中において、演出処理部４００ａからの出力制御に基づき、演出画像表示装置１００及び両スピーカーＳＰを、共に或いは選択的に駆動制御するに要する種々の演算処理をする。
【００９５】
ランプ制御部４００ｃは、マイクロコンピュータからなるもので、このランプ制御部４００ｃは、ランプ制御プログラムを、所定のフローチャート（図示しない）に従い実行し、この実行中において、演出処理部４００ａからの出力制御に基づき、枠ランプＷを駆動制御するに要する種々の演算処理をする。
【００９６】
以上のように構成した本第１実施形態において、演出表示装置１００が、上述のごとく、裏ユニットＢＹの裏カバー９０の裏壁９１の開口部９１ａに組み付けられ、
磁気センサＳ６が、上述のごとく、裏カバー９０の裏壁９１のうち矩形開口部９１ａの斜め左下側部位にその内側（前側）から支持されている。
【００９７】
ここで、磁気センサＳ６が、後述のごとく、遊技者の不正行為による磁石の磁気を検出すると、演出表示装置１００は、磁気センサＳ６による磁気の検出を、不正行為による磁気エラーとして表示する。
【００９８】
このように、不正行為による磁石の磁気を検出する磁気センサＳ６が、独立の塵付け部品でもって遊技盤１０にその裏側から取り付けられるのではなく、演出表示装置１００と共に裏カバ−９０に設けられている。
【００９９】
換言すれば、磁気センサＳ６及び演出表示装置１００が、別々の部品ではなく、同一の部品である裏カバー９０に設けられていることから、磁気センサＳ６及び演出表示装置１００を設ける部品が単一の部品で済み、当該パチンコ遊技機の構成がより一層簡単になる。
【０１００】
また、裏球通路部品８０は、上述したごとく、連通路部８１にて、遊技盤１０の盤面部品取り付け用開孔部１２の下側部位に対向し、かつ、各導入路部８２〜８４にて盤面部品取り付け用開孔部１２に対向するように、遊技盤１０にその裏側から取り付けられている。一方、普通入賞口ユニット６０の各普通入賞口装置６０ｂ〜６０ｃは、取り付け板６０ａを介し盤面部品取り付け用開孔部１２にその前側から取り付けられている。
【０１０１】
また、磁気センサＳ６は、上述のことから分かるように、裏球通路部品８０の両導入路部８３、８４の間の空間領域に対応する取り付け板６０ａの両開口部６２、６３の間の板部位、換言すれば、普通入賞口ユニット６０の両普通入賞口装置６０ｃ、６０ｄの間の領域に対向して、裏カバー９０の裏壁９１に支持されている。
【０１０２】
ここで、盤面部品取り付け用開孔部１２が、上述のごとく、遊技盤１０に形成されているから、普通入賞口ユニット６０及び裏球通路部品８０を遊技盤１０にその盤面部品取り付け用開孔部１２を介し取り付け易いように、遊技盤１０のうち盤面部品取り付け用開孔部１２を含む近傍領域は、余分な構成部品を設けることなく、簡単な構成となっている。
【０１０３】
換言すれば、盤面部品取り付け用開孔部１２の前後両側においては、普通入賞口ユニット６０及び裏球通路部品８０が存在するのみで、他の構成部品等の密集を伴うことなく、簡単な構成となっている。
【０１０４】
従って、磁石センサＳ６を、上述のごとく、盤面部品取り付け用開孔部１２に対向するように裏カバー９０に支持することで、磁石センサＳ６は、その磁気の流れを妨げられたり磁気を減少させたりすることなく、良好な磁気検出機能を発揮し得る。これにより、磁気センサＳ６は、磁石の磁気を前扉Ｄの透明板Ｄａを介し良好に検出可能となっている。
【０１０５】
また、磁気センサＳ６は、上述のごとく、裏カバー９０に支持されている。ここで、裏カバー９０は、前扉ＦＤや遊技盤１０とは異なり、機枠Ｆ等のようにメーカーとしての商品性が低く、当該パチンコ遊技機を新たなパチンコ遊技機にする際に、交換を必要としない交換不要部品である。従って、当該パチンコ遊技機の交換時期が到来しても、磁気センサＳ６は、新たな磁気センサに交換することなく、そのまま、裏カバー９０と共に、新たなパチンコ遊技機において利用され得る。その結果、磁気センサＳ６の新品を入手する必要もなく、コスト低減につながる。
【０１０６】
次に、当該パチンコ遊技機が電源スイッチＳＷ１を介する直流電源ＤＣからの給電により遊技可能な作動状態になると、主制御装置２００が、副制御装置４００とともに、作動状態になる。これに伴い、主制御装置２００が、ＣＰＵ２１０により、図１８のフローチャートに従い、主制御プログラムの実行を開始する。
【０１０７】
また、上述のようにパチンコ遊技機が作動状態になると、主制御装置２００のソフトタイマー２２０（タイマー部、第１及び第２の補助タイマー部）がリセット起動される。これに伴い、ソフトタイマー２２０のタイマー部が、計時を開始し、この開始後４（ｍｓ）の経過毎に、主パルス信号を発生し、第１補助タイマー部が、計時を開始し、この開始後４（ｍｓ）の経過毎に、第１割り込みパルス信号を発生するとともに、ソフトタイマー２２０の第２補助タイマー部が、計時を開始し、この開始後４（ｍｓ）の経過毎に、第２割り込みパルス信号を発生する。
【０１０８】
これに伴い、主制御装置２００は、ＣＰＵ２１０により、図１９のフローチャートに従い、第１タイマー割り込みプログラムをソフトタイマー２２０の第１補助タイマー部からの第１割り込みパルス信号の発生毎に実行する。これに伴い、当該第１タイマー割り込みプログラムはスタートステップにて開始されると、次のステップ６００において割り込み許可か否かが判定される。現段階において、後述するごとく、図１８のステップ５１１に達する毎に割り込み禁止処理がなされていれば、当該第１タイマー割り込みプログラムは、繰り返し、ステップ６００においてＮＯと判定された後、エンドステップに進む。
【０１０９】
また、主制御装置２００は、ＣＰＵ２１０により、図２０のフローチャートに従い、第２タイマー割り込みプログラムをソフトタイマー２２０の第２補助タイマー部からの第２割り込みパルス信号の発生毎に実行する。これに伴い、当該第２タイマー割り込みプログラムはスタートステップにて開始されると、次のステップ１６００において割り込み許可か否かが判定される。現段階において、後述するごとく、図１８のステップ５１１に達する毎に割り込み禁止処理がなされていれば、当該第２タイマー割り込みプログラムは、繰り返し、ステップ１６００においてＮＯと判定された後、エンドステップに進む。
【０１１０】
また、上述のように主制御装置２００が図１８のフローチャートに従い主制御プログラムの実行を開始すると、ステップ５００において割り込み許可か否かが判定される。現段階では、ステップ５０２にて割り込み許可解除済みであれば、ステップ５００において、ＮＯと判定される。これに伴い、ステップ５１０における初期化処理において、主制御装置２００の内部構成素子が初期化される。
【０１１１】
ついで、ステップ５２０においてクリアスイッチのオンか否かが判定される。上述のようにパチンコ遊技機が電源スイッチＳＷ１を介する直流電源ＤＣからの給電により遊技可能な作動状態になった時点で、電源回路ＰＷのクリアスイッチＳＷ２が手動によりオンされると、ステップ５２０における判定がＹＥＳとなる。
【０１１２】
また、上述のようにパチンコ遊技機が遊技可能な作動状態になった時点でクリアスイッチＳＷ２がオンされなければ、当該ステップ５２０においてＮＯと判定される。これに伴い、ステップ５２１にて割り込み禁止処理がなされる。以後、クリアスイッチＳＷ２がオンされるまで、ステップ５１０、ステップ５２０及びステップ５２１を通る循環処理が繰り返される。このような段階にあっては、ステップ５２１における割り込み禁止処理のもと、クリアスイッチＳＷ２がオンされるまで、第１タイマー割り込みプログラムのステップ７００以後の実行が禁止され、かつ、第２タイマー割り込みプログラムのステップ１６１０以後の実行が禁止される。
【０１１３】
このような状態において、クリアスイッチＳＷ２がオンされると、図１８のステップ５２０においてＹＥＳと判定される。換言すれば、クリアスイッチＳＷ２がそのオン操作により操作信号を発生すると、ステップ５２０においてＹＥＳと判定される。これに伴い、ステップ５３０においてＲＡＭクリア処理がなされる。ここでは、上述のように当該パチンコ遊技機が作動可能状態になる直前において主制御装置２００のＲＡＭ２４０に記憶保持済みの記憶データがクリアされる。
【０１１４】
これにより、上述のように作動可能状態になった当該パチンコ遊技機による遊技が、ＲＡＭ２４０の記憶データをクリアした状態で開始され得る。従って、上述のように作動可能状態になった当該パチンコ遊技機による遊技において、上述のクリア前におけるＲＡＭ２４０の記憶データが利用されるというような不都合は発生しない。
【０１１５】
上述のようにステップ５３０におけるＲＡＭクリア処理がなされると、次のステップ５４０においてＲＡＭクリア信号出力処理がなされる。ここでは、ＲＡＭ２４０の記憶データをクリアしたことを表すＲＡＭクリア信号が、主制御装置２００により、そのＣＰＵ２１０でもって、外部端子盤３００に出力される。
【０１１６】
現段階では、当該外部端子盤３００は、上述のようにパチンコ遊技機が遊技可能状態になった時点において、作動状態になり、半導体スイッチング回路３１０の各半導体スイッチング回路部が共に導通状態におかれる。
【０１１７】
従って、上述のようにＲＡＭクリア信号が主制御装置２００から外部端子盤３００に出力されると、当該ＲＡＭクリア信号は、半導体スイッチング回路３１０の第１半導体スイッチング回路部により端子板３２０のコネクターＮ１を通しホールコンピュータＨＣに出力される。これにより、当該パチンコ遊技機がその作動可能状態になった時点において主制御装置２００のＲＡＭ２４０の記憶データがクリアされたことが、ホールコンピュータＨＣに対しクリア情報として提供され得る。
【０１１８】
上述のようにステップ５４０の処理がなされると、次のステップ５５０において割り込み許可処理がなされる。これに伴い、割り込み許可後の第１及び第２のタイマー割り込みプログラムの実行が許可される。なお、当該主制御プログラムの以後の繰り返しの実行中においては、ステップ５００におけるＹＥＳとの判定及びステップ５０１におけるＮＯとの判定がなされるが、当該パチンコ遊技機による遊技者の遊技の終了の際には、ステップ５０１にてＹＥＳとの判定のもと、ステップ５０２における割り込み許可解除処理において、ステップ５５０における割り込み許可が解除される。これに伴い、当該主制御プログラムの上記遊技者の遊技に伴う実行が終了する。
【０１１９】
上述のように、図１８のステップ５５０において割り込み許可処理がなされた後、主制御装置２００が、ソフトタイマー２２０の第１補助タイマー部からの第１割り込みパルス信号の発生に伴い、ＣＰＵ２１０により、図１９のフローチャートに従い上記第１タイマー割り込みプログラムを実行するとともに、ソフトタイマー２２０の第２補助タイマー部からの第２割り込みパルス信号の発生に伴い、ＣＰＵ２１０により、図２０のフローチャートに従い上記第２タイマー割り込みプログラムを実行する。なお、当該第１及び第２のタイマー割り込みプログラムの実行は、主制御装置２００の作動開始後４（ｍｓ）の経過毎に繰り返され、かつ、上記第１及び第２のタイマー割り込みプログラムの実行のための時間が、４（ｍｓ）の間、維持される。
【０１２０】
また、上述のようにパチンコ遊技機が作動状態になると、副制御装置４００が、システム制御部４００ａ、画像制御部４００ｂ及びランプ制御部４００ｃにおいて、作動状態になる。これに伴い、システム制御部４００ａは、上記演出制御プログラムの実行を、図２１及び図２２のフローチャートに従い開始する。これにより、上記パチンコ遊技機は、遊技者による遊技の開始を待つ状態におかれる。
【０１２１】
上述のようにステップ５２０におけるクリアスイッチのオンに基づくＹＥＳとの判定がなされた後において、主制御装置２００が、そのＣＰＵ２１０により、上記第１タイマー割り込みプログラムをステップ６００に進めると、当該主制御装置２００は、割り込み許可のもと、ステップ６００にてＹＥＳと判定し、上記第１タイマー割り込みプログラムを始動入賞口処理ルーチン７００以降に進める（図１９図参照）。
【０１２２】
現段階では、遊技球の始動入賞口装置３０或いは４０の始動入賞口への遊技球の入賞や上記スルーゲートの遊技球の通過はないことから、上記第１タイマー割り込みプログラムは、始動入賞口処理ルーチン７００、始動入賞口処理ルーチン８００、ゲート処理ルーチン９００及び賞球処理ルーチン１０００を通り特別図柄処理ルーチン１１００に進む。現段階では、未だ遊技者による遊技は開始されていないことから、このような状態のもと、上記第１タイマー割り込みプログラムは、さらに、普通図柄処理ルーチン１２００、大入賞口処理ルーチン１３００、電チュー処理ルーチン１４００及び出力処理ルーチン１５００に順次進む。
【０１２３】
また、主制御装置２００が、そのＣＰＵ２１０により、上述のようにステップ５２０におけるクリアスイッチのオンに基づくＹＥＳとの判定後、上記第２タイマー割り込みプログラムをステップ１６００に進めると、当該主制御装置２００は、割り込み許可のもと、ステップ１６００にてＹＥＳと判定し、上記第２タイマー割り込みプログラムをステップ１６１０以降に進める。
【０１２４】
現段階では、当該パチンコ遊技機による遊技が開始されていないことから、遊技者が磁石の使用による不正行為をする等の不正行為をすることはない。このため、図２０のステップ１６００においてＮＯと判定される。
【０１２５】
また上述のように副制御装置４００が作動状態におかれると、システム制御部４００ａが、その作動状態において、演出制御プログラムを図２１及び図２２のフローチャートに従い実行する。
【０１２６】
この処理では、上述のごとく、当該パチンコ遊技機による遊技者の遊技が開始されていないことから、主制御装置２００からの出力データがシステム制御部４００ａに出力されていない。このため、図２１のステップ２０００にてＮＯとの判定がなされる。
【０１２７】
以上のような状態において、遊技者が、遊技球の払い出しを受けて上記パチンコ遊技機による遊技を開始すると、当該パチンコ遊技機が遊技作動モードにおかれる。以下、この遊技作動モードを、主制御装置側遊技作動モード及び副制御装置側遊技作動モードに分けて説明する。
１．主制御装置側遊技作動モード
上述のように遊技者が、遊技を開始するにあたり、上記パチンコ遊技機の操作ハンドルＨを回動操作すれば、遊技球が、順次、上記球発射装置により案内レール２０を通り遊技領域１１内に発射される。なお、このような段階においても、上記第１タイマー割り込みプログラムは、ソフトタイマー２２０の第１補助タイマー部からの第１割り込みパルス信号の発生毎に、割り込み許可のもと、繰り返し割り込み実行される。
【０１２８】
上記第１タイマー割り込みプログラムが始動入賞口処理ルーチン７００（図１９参照）に進むと、当該始動入賞口処理ルーチン７００の処理は、始動入賞口装置３０の始動入賞口への遊技球の入賞に基づく大当たりの抽選の機会を形成するために、遊技領域１１内に順次案内される遊技球が始動入賞口装置３０の始動入賞口に入賞するごとに、当該各遊技球の入賞が始動入賞口センサＳ１により検出される。
【０１２９】
上述のような始動入賞口処理ルーチン７００の終了に伴い、上記第１タイマー割り込みプログラムは、始動入賞口処理ルーチン８００に進む。この始動入賞口処理ルーチン８００の処理は、始動入賞口装置４０の始動入賞口への遊技球の入賞に基づく大当たりの抽選の機会を形成するために、遊技領域１１内に順次案内される遊技球が始動入賞口装置４０の始動入賞口に入賞するごとに、当該各遊技球の入賞が始動入賞口センサＳ２により検出される。
【０１３０】
上述のような始動入賞口処理ルーチン８００の終了に伴い、上記第１タイマー割り込みプログラムは、ゲート処理ルーチン９００に進む。このゲート処理ルーチン９００の処理は、普通図柄の抽選の機会を形成するために、上述のごとく案内された遊技球が上記スルーゲートを通過することに、当該各遊技球の通過がゲートセンサ（図示しない）により検出される。
【０１３１】
然る後、上記第第１タイマー割り込みプログラムが次の賞球処理ルーチン１０００に進むと、この賞球処理ルーチン１０００の始動入賞口への入賞数に応じた賞球コマンド或いは遊技球の上記スルーゲートに対するゲート通過数に応じたコマンドが設定される。
【０１３２】
ついで、上記第１タイマー割り込みプログラムが特別図柄処理ルーチン１１００に進む。現段階において、始動入賞口装置３０の入賞口への遊技球の入賞に基づく大当たり抽選に伴い特別図柄変動が開始される。これに伴い、特別図柄変動表示が特別図柄変動表示器（図示しない）によりなされる。然る後、上記特別図柄変動が終了すると、上記特別図柄変動表示器が、特別図柄変動表示を終了して、上記大当たり抽選の結果に基づく演出表示を行う。ここで、当該大当たり抽選の結果が、例えば、大当たりであれば、上記特別図柄変動表示器は、大当たり演出表示を行う。
【０１３３】
特別図柄変動処理ルーチン１１００の処理が終了すると、上記第１タイマー割り込みプログラムは、普通図柄処理ルーチン１２００に進む。当該普通図柄処理ルーチン１２００においては、上記スルーゲートに対する遊技球の通過に基づく当たり抽選に伴い普通図柄変動が開始される。これに伴い、普通図柄変動表示が普通図柄変動表示器（図示しない）によりなされる。然る後、上記普通図柄変動が終了すると、上記普通図柄変動表示器が、普通図柄変動表示を終了して、上記当たり抽選の結果に基づく演出表示を行う。
【０１３４】
以上のようにして普通図柄処理ルーチン１２００の処理が終了すると、上記第１タイマー割り込みプログラムは、大入賞口ルーチン１３００に進む。当該大入賞口処理ルーチン１３００においては、上記大当たり抽選の結果が大当たりであることを前提に１回目のラウンドから１５回目のラウンドにかけて、大入賞口開放処理が繰り返しなされる。これに伴い、大入賞口装置７０が、その大入賞口を、繰り返し開放する。これにより、上述のように遊技領域１１内に順次案内される遊技球が、大入賞口装置７０の大入賞口に繰り返し入賞し易くなり、その結果、遊技者は、多くの賞球の獲得を期待できる。
【０１３５】
以上のようにして大入賞口処理ルーチン１３００の処理が終了すると、上記第１タイマー割り込みプログラムは、次の電チュー処理ルーチン１４００に進む。当該電チュー処理ルーチン１４００においては、現段階の遊技状態が確変或いは時短の遊技状態であれば、始動入賞口装置４０がその始動入賞口の開放時間に応じて、当該始動入賞口を開放する。これにより、遊技者は、始動入賞口装置４０の始動入賞口への遊技球の入賞の増加を期待し得る。
【０１３６】
上述のように電チュー処理ルーチン１４００の処理が終了すると、上記第１タイマー割り込みプログラムは、出力処理ルーチン１５００に進む。この出力処理ルーチン１５００においては、始動入賞口ルーチン７００〜電チュー処理ルーチン１４００の各処理においてなされた始動入賞口センサＳ１、Ｓ２の各検出出力、各普通入賞口センサＳ３〜Ｓ５の検出出力その他の種々の処理データが、出力データとして副制御装置４００に対し出力される。
【０１３７】
上述のようにステップ５２０におけるクリアスイッチのオンに基づくＹＥＳとの判定がなされた後において、主制御装置２００が、そのＣＰＵ２１０により、上記第２タイマー割り込みプログラムをステップ１６００に進めると、当該主制御装置２００は、割り込み許可のもと、ステップ１６００にてＹＥＳと判定し、上記第２タイマー割り込みプログラムをステップ１６１０以降に進める（図２０図参照）。
【０１３８】
しかして、上記第２タイマー割り込みプログラムがステップ１６１０に進むと、当該ステップ１６１０において、磁気の検出か否かが判定される。現段階では、当該パチンコ遊技機による遊技者の遊技が既に開始されている。このような遊技の開始後においては、遊技者の操作ハンドルＨの回動操作により遊技球が、順次、上記球発射装置により発射されて案内レール２０を通り遊技領域１１内に案内される。これに伴い、遊技領域１１内に案内される遊技球は、遊技盤１０の盤面に沿い下方に向けて転動していく。
【０１３９】
このような状態において、例えば、遊技者が、磁石を、前扉Ｄの透明板Ｄａにその前側から当てた状態にて、当該磁石を、その磁気により、例えば、普通入賞口装置６０ｃ或いは普通入賞口装置６０ｄの近辺に達する遊技球を普通入賞口装置６０ｂ或いは普通入賞口装置６０ｃの入賞口に向けて誘導するような不正行為をしようとするものとする。
【０１４０】
ここで、磁気センサＳ６は、上述のごとく、その両側対向壁ａ、ｂのうち一側対向壁ａにて、図１０にて図示左方を臨み、他側対向壁ｂにて、図示右方を臨むように、裏カバー９０の裏壁９１のうち矩形開口部９１ａの斜め左下側部位にその内側から配設されており、当該磁気センサＳ６は、その一側厚さ方向対向壁ｅにて、裏球通路部品８０の両導入路部８３、８４の間の空間領域に対向している。また、当該磁気センサＳ６は、上述のごとく、一側長手方向磁気検出領域Ｆａ内に普通入賞口装置６０ｃ及びその近傍を含み、他側長手方向磁気検出領域Ｆｂ内に普通入賞口装置６０ｄ及びその近傍を含むように位置している。
【０１４１】
従って、上述のように当該磁石を、その磁気により、普通入賞口装置６０ｃ或いは普通入賞口装置６０ｄの近辺に達する遊技球を普通入賞口装置６０ｂ或いは普通入賞口装置６０ｃの入賞口に向けて誘導するように、透明板Ｄａに沿い移動させるとき、当該磁石が遊技球を普通入賞口ユニット６０に誘導し得る程度の強さの磁気を有すれば、当該磁石の磁気は、磁気センサＳ６により検出される。
【０１４２】
換言すれば、遊技者が磁石の磁気により遊技球を普通入賞口装置６０ｂ或いは普通入賞口装置６０ｃの入賞口に向けて誘導するという不正行為が磁気センサＳ６により検出される。このことは、磁気センサＳ６が上述のような広い磁気検出範囲を有することから、単一の磁気センサＳ６でもって、普通入賞口装置６０ｂ及び普通入賞口装置６０ｃの双方への遊技球の磁石による誘導を磁気的に検出し得ることを意味する。
【０１４３】
これにより、ステップ１６１０において、ＹＥＳと判定される。なお、遊技者の磁石による不正行為がなかったり、或いは、不正行為をしようとして遊技者が利用する磁石の磁気が、遊技球を上述のように誘導するに要する強さを有しなければ、不正行為がなされることはないので、ステップ１６１０においてＮＯと判定される。
【０１４４】
上述のようにステップ１６１０においてＹＥＳと判定されると、次のステップ１６２０におけるエラー判定処理において、遊技者の磁石による不正行為がエラーとして判定される。これに伴い、次のステップ１６３０におけるエラー判定出力処理において、遊技者の磁石による不正行為をエラーとして磁気エラー出力信号が主制御装置２００のＣＰＵ２１０により、出力ポート２６０ｂを介し外部端子盤３００に出力される。
【０１４５】
すると、当該磁気エラー出力信号は、半導体スイッチング回路３１０の第１半導体スイッチング回路部により端子板３２０のコネクターＮ１を通しホールコンピュータＨＣに出力される。これにより、当該パチンコ遊技機において不正行為があることが、ホールコンピュータＨＣに対しエラー情報として提供され得る。
【０１４６】
ここで、磁気エラー出力信号が、上述したＲＡＭクリア信号と同様に、端子板３２０のコネクターＮ１を通しホールコンピュータＨＣに出力される。従って、端子板３２０において、磁気エラー出力信号をホールコンピュータＨＣに出力するコネクターを、ＲＡＭクリア信号をホールコンピュータＨＣに出力するコネクターＮ１に対し、別途、設けることなく、端子板３２０において、ＲＡＭクリア信号をホールコンピュータＨＣに出力するコネクターを、磁気エラー出力信号をホールコンピュータＨＣに出力するコネクターとして兼用することで、端子板３２０において余分なコネクターを設ける必要がなく、当該端子板３２０の構成、ひいては、外部端子盤３００の構成をより一層簡単にすることができる。
２．副制御装置側遊技作動モード
以上のような主制御装置側遊技作動モードの処理にあわせて、副制御装置４００においては、システム制御部４００ａが、画像制御部４００ｂ及びランプ制御部４００ｃとともに、演出遊技作動モードにおかれる。
【０１４７】
上述のように副制御装置４００のシステム制御部４００ａが、図２１及び図２２のフローチャートに従い上記演出制御プログラムの実行を開始すると、ステップ２０００（図２１参照）において、出力データの有無が判定される。
【０１４８】
現段階において、当該出力データがシステム制御部４００ａに出力されていれば、ステップ２０００においてＹＥＳと判定される。なお、出力データのシステム制御部４００ａへの出力がなければ、ステップ２０００においてＮＯと判定され、演出制御プログラムはリターンステップ（図２１参照）に進む。
【０１４９】
上述のようにステップ２０００においてＹＥＳと判定されると、次のステップ２１００において、特別図柄変動の開始か否かが判定される。ここで、図１９の特別図柄処理ルーチン１１００において特別図柄変動が開始されていれば、ステップ２１００において、ＹＥＳと判定される。このことは、主制御装置２００において特別図柄変動が開始されていることを意味する。
【０１５０】
このような特別図柄変動の開始に対応して、ステップ２１１０において装飾図柄変動開始処理がなされる。当該装飾図柄変動開始処理においては、例えば、左図柄、中図柄及び右図柄の３列からなる装飾図柄変動が開始される。これに伴い、次のステップ２１２０における装飾図柄変動表示開始処理において、演出表示装置１００は、左図柄、中図柄及び右図柄からなる装飾図柄変動を時間の経過に伴い表示する。
【０１５１】
ステップ２１２０の処理後、次のステップ２１３０において、特別図柄変動の終了か否かについて判定される。現段階において、特別図柄変動が終了していなければ、当該ステップ２１３０における判定はＮＯとなる。これに伴い、各ステップ２１１０、２１２０及び２１３０を循環する処理が繰り返される。このような繰り返し過程において、特別図柄変動が終了すると、ステップ２１３０においてＹＥＳと判定される。
【０１５２】
このようにステップ２１３０における判定がＹＥＳになると、次のステップ２２００において、エラー判定出力ありか否かが判定される。現段階において、ステップ１６３０において、磁気エラー出力信号が主制御装置２００のＣＰＵ２１０により出力されていなければ、ステップ２２００にてＮＯと判定される。これに伴い、上記演出制御プログラムがステップ２２１０（図２１参照）以降に進む。一方、ステップ１６３０（図２０参照）におけるエラー判定出力処理において、磁気エラー出力信号が主制御装置２００のＣＰＵ２１０により出力されていれば、当該ステップ２２００にてＹＥＳと判定される。これに伴い、上記演出制御プログラムがステップ２４００（図２２参照）以降に進む。
【０１５３】
上述のように、ステップ２２００における判定がＮＯになると、ステップ２２１０における装飾図柄変動終了処理において、装飾図柄変動が終了する。これに伴い、ステップ２２２０における装飾図柄変動表示終了処理において、演出表示装置１００が、システム制御部４００ａ及び画像制御部４００ｂによる制御のもとに、装飾図柄変動表示を終了する。
【０１５４】
ついで、次のステップ２３００において、大当たりか否かが判定される。ここで、上述のごとく大当たり抽選の結果、大当たりが成立していれば、ステップ２３００においてＹＥＳと判定される。すると、ステップ２３１０において大当たり遊技表示演出処理がなされる。この大当たり遊技表示演出処理においては、演出表示装置１００が、システム制御部４００ａによる制御のもと、画像制御部４００ｃにより制御されて、大当たりを表す演出態様にて演出表示する。
【０１５５】
然る後、次のステップ２３２０において、大当たり光演出処理がなされる。この大当たり光演出処理においては、枠ランプＷが、システム制御部４００ａによる制御のもと、ランプ制御部４００ｃにより制御されて、大当たりを表す光演出態様にて光演出を行う。
【０１５６】
さらに、ステップ２３３０において、大当たり音演出処理がなされる。この大当たり音演出処理においては、両スピーカーＳＰが、システム制御部４００ａによる制御のもと、画像制御部４００ｂにより制御されて、大当たりを表す音演出態様でもって音演出を行う。本実施形態では、大当たりを表す音演出態様は、所定の音量でもって行う演出態様として、画像制御部４００ｂのＲＯＭに予め読み出し可能に音量データとして記憶されている。なお、上述の所定の音量は、両スピーカーＳＰで出し得る最大音量よりも小さい音量に設定されている。
【０１５７】
以上のように、演出表示装置１００による大当たり表示演出、枠ランプＷによる大当たり光演出及び両スピーカーＳＰによる大当たり音演出がなされることで、遊技者は大当たりになったことを強く実感することができる。なお、上記大当たり抽選の結果が、はずれである場合には、ステップ２３００においてＮＯと判定される。
【０１５８】
一方、上述のように、上記演出制御プログラムがステップ２２００におけるＹＥＳとの判定に伴いステップ２４００（図２２参照）以降に進むと、ステップ２４００において装飾図柄変動継続処理がなされる。当該装飾図柄変動継続処理においては、ステップ２１３０にて特別図柄変動の終了に伴いＹＥＳと判定されても、上述したステップ２１１０にて開始済みの装飾図柄変動が、終了することなく、システム制御部４００ａにより継続される。
【０１５９】
ついで、ステップ２５００においてエラー表示演出処理がなされる。このエラー表示演出処理においては、演出表示装置１００が、システム制御部４００ａによる制御のもと画像制御部４００ｂにより制御されて、表示パネル１１０の全表面に亘り、所定のエラー画像Ｇ（図２４参照）を表示する。
【０１６０】
当該所定のエラー画像Ｇは、画像制御部４００ｂに内蔵のＲＯＭに予め読み出し可能に記憶されており、当該所定のエラー画像Ｇは、遊技者の磁石による不正行為を磁気エラーとして警告するための画像である。ここで、当該所定のエラー画像Ｇは、赤色の二等辺三角形画像ｇの中央にビックリマークｇを黄色で描き、かつ、二等辺三角形画像ｇを緑色背景画像ｉ（図２４では斜線で示す。）で包囲するようにして構成されている。なお、緑色背景画像ｉは、演出表示装置１００の表示パネル１１０の全表面のうち二等辺三角形画像ｇの外側の表面範囲に亘る。
【０１６１】
本実施形態では、上述したステップ２４００における装飾図柄変動継続処理において、装飾図柄変動がシステム制御部４００ａにより継続的になされている。従って、本来ならば、当該装飾図柄変動の表示が、演出表示装置１００によりなされるのであるが、上述した所定のエラー画像Ｇの全面表示にあたり、演出表示装置１００が、画像制御部４００ｂによる制御のもと、当該所定のエラー画像Ｇでもって、上記装飾図柄変動の表示をその前面側から覆うように、表示パネル１１０において全面表示する。
【０１６２】
このため、演出表示装置１００は、その表示パネル１１０にて、装飾図柄変動継続中でもその装飾図柄変動の表示をすることなく、所定のエラー画像Ｇのみを全面表示することとなる。これにより、遊技者は、その不正行為に対し、上記所定のエラー画像Ｇでもって警告表示され得る。
【０１６３】
その結果、遊技者は、その遊技に伴う演出表示装置１００の演出による装飾図柄変動表示を視認できないことで、所定のエラー画像Ｇによるエラー表示中の当該パチンコ遊技機による遊技の進行状況を認識し得ず、遊技の興趣を低下させてしまう。なお、当該所定のエラー画像Ｇの表示、即ち、エラー表示は、ステップ２４００の処理の終了時点（図２３にて符号ｔａ参照）から遊技者の当該パチンコ遊技機による遊技終了まで継続される。
【０１６４】
ステップ２５００の処理後、次のステップ２６００において、エラー光演出処理がなされる。このエラー光演出処理においては、ランプ制御部４００ｃが、システム制御部４００ａによる制御のもと、枠ランプＷを、エラー表示の開始時点ｔａから所定の点滅時間（例えば、３０（分））に亘り、赤色で点滅するように駆動制御する。これに伴い、枠ランプＷは、上記所定の点滅時間に亘り、赤色のエラー点滅でもって、磁気エラーの発生を警告する（図３参照）。
【０１６５】
これにより、遊技者は、磁石による不正行為に対し、上述のエラー表示にあわせ、枠ランプＷの赤色点滅でもって、警告される。なお、このような枠ランプＷの赤色点滅は、当該遊技者以外の他の遊技者にも視認されることで、当該遊技者は、その不正行為につき、警告を受けていることが、他の遊技者によっても認識され得る。
【０１６６】
上述のようにステップ２６００の処理が終了すると、次のステップ２７００においてエラー音演出処理がなされる。このエラー音演出処理においては、両スピーカーＳＰが、システム制御部４００ａによる制御のもと、画像制御部４００ｂにより制御されて、エラー表示の開始時点Ｔａから所定のエラー音発生時間（例えば、３０（分）の間、所定の最大音量にてエラー音を発生する（図２３参照）。なお、上述の所定の最大音量は、画像制御部４００ｃのＲＯＭに予め読み出し可能に最大音量データして記憶されている。
【０１６７】
これにより、遊技者は、磁石による不正行為に対し、上述のエラー表示及び枠ランプＷの赤色点滅にあわせ、両スピーカーＳＰの最大音量による音の発生でもって、警告される。このような両スピーカーＳＰの最大音量による音は、当該遊技者以外の他の遊技者にも認識されることで、当該遊技者は、その不正行為につき、警告を受けていることが、他の遊技者によっても認識され得る。
【０１６８】
以上説明したように、本第１実施形態では、遊技者の不正行為による磁石の磁気を検出する磁気センサＳ６が、上述のごとく、当該磁気センサＳ６による磁気検出に基づく不正行為による磁気エラーを表示する演出表示装置１００と共に、同一の裏部品である裏カバー９０に取り付けられている。
【０１６９】
このように、磁気センサＳ６及び演出表示装置１００が、別々の部品ではなく、同一の部品である裏カバー９０に設けられていることから、磁気センサＳ６及び演出表示装置１００を設ける部品が単一の部品で済み、当該パチンコ遊技機の構成がより一層簡単になる。このことは、磁気センサＳ６による磁気検出に関し、当該パチンコ遊技機の製造コストを抑制し得るのは勿論のこと、管理も容易になることを意味する。
【０１７０】
また、磁気センサＳ６は、上述のごとく、裏球通路部品８０及び取り付け板６０ａを介し、普通入賞口ユニット６０の両普通入賞口装置６０ｃ、６０ｄの間の領域に対向するように裏カバー９０の裏壁９１に支持されている。
【０１７１】
また、遊技盤１０の盤面部品取り付け用開孔部１２の前後両側においては、普通入賞口ユニット６０及び裏球通路部品８０が存在するのみで、他の構成部品やベニヤ板の積層体等の密集した構成を伴うことなく、簡単な構成となっている。従って、磁石センサＳ６を、上述のごとく、盤面部品取り付け用開孔部１２に対向するように裏カバー９０に支持することで、磁石センサＳ６は、その磁気の流れを妨げられたり磁気を減少させたりすることなく、良好な検出機能を発揮し得る。ここで、磁気センサＳ６は、上述のごとく、広い検出領域を有するので、遊技盤１０の裏側に設けられていても、前扉Ｄの透明板Ｄａを介する磁石による不正行為を確実に検出することができる。
【０１７２】
また、磁気センサＳ６は、上述のごとく、裏カバー９０に支持されている。ここで、裏部品ユニットＢＹは、裏カバー９０を含め、前扉や遊技盤とは異なり、機枠等のようにメーカーとしての商品性が低く、当該パチンコ遊技機を新たなパチンコ遊技機にする際に、交換を必要としない交換不要部品である。従って、当該パチンコ遊技機の交換時期が到来しても、磁気センサＳ６は、新たな磁気センサに交換することなく、そのまま、裏カバー９０と共に、新たなパチンコ遊技機において利用され得る。その結果、磁気センサＳ６の新品を入手する必要もなく、コスト低減につながる。
【０１７３】
また、本実施形態では、演出表示装置１００も、磁気センサＳ６と同様に、裏部品の１つとして、裏カバー９０に支持される交換不要部品である。従って、当該パチンコ遊技機の交換時期が到来しても、演出表示装置１００は、磁気センサＳ６と同様に、新たな演出表示装置に交換することなく、そのまま、裏カバー９０と共に、新たなパチンコ遊技機において利用され得る。その結果、演出表示装置１００の新品を入手する必要もなく、コスト低減につながる。
【０１７４】
また、上述のごとく、遊技者の磁石の磁気による不正行為が発生した際には、演出表示装置１００は、その表示パネル１１０にて、装飾図柄変動継続中でもその装飾図柄変動の表示をすることなく、所定のエラー画像Ｇのみを全面表示することとなる。これにより、遊技者は、その不正行為に対し、上記所定のエラー画像Ｇでもって警告表示され得る。その結果、遊技者は、エラー表示中の当該パチンコ遊技機による遊技の進行状況を認識し得ず、遊技の興趣を低下させてしまう。
【０１７５】
また、主制御装置２００が、上述のごとく、当該パチンコ遊技機への給電が停止しても記憶内容を保持するＲＡＭ２４０と、操作されたとき操作信号を発生するクリアスイッチＳＷ２とを備えて、当該パチンコ遊技機への給電の際にクリアスイッチＳＷ２からのその操作に伴う操作信号に基づいてＲＡＭ２４０の記憶内容をクリアして、ＲＡＭクリア信号を端子板３２０の複数のコネクターＮ１〜Ｎ１０のうちの一コネクターＮ１を通してホールコンピュータＨＣに出力する。これにより、当該パチンコ遊技機がその作動可能状態になった時点において主制御装置２００のＲＡＭ２４０の記憶データがクリアされたことが、ホールコンピュータＨＣに対しクリア情報として提供され得る。
【０１７６】
また、上述のように、ＲＡＭ２４０の記憶内容をクリアした上で、遊技者の磁石による不正行為を示す磁気エラーの発生とステップ１６３０にて判定したとき、当該磁気エラーを表す磁気エラー出力信号が端子板３２０の一コネクターＮ１を通しホールコンピュータＨＣに出力される。
【０１７７】
このように、端子板３２０において、磁気エラー出力信号をホールコンピュータＨＣに出力するコネクターを、ＲＡＭクリア信号をホールコンピュータＨＣに出力するコネクターＮ１に対し、別途、設けることなく、ＲＡＭクリア信号をホールコンピュータＨＣに出力するコネクターを、磁気エラー出力信号をホールコンピュータＨＣに出力するコネクターとして兼用することで、端子板３２０において余分なコネクターを設ける必要がなく、当該端子板３２０の構成をより一層簡単にすることができる。
【０１７８】
また、上述のごとく、遊技者が磁石の磁気により遊技球を普通入賞口装置６０ｂ及び６０ｃの少なくとも１つの入賞口に向けて誘導するという不正行為が磁気センサＳ６により検出される。このことは、磁気センサＳ６が上述のような広い磁気検出範囲を有することから、単一の磁気センサＳ６でもって、普通入賞口装置６０ｂ、６０ｃの双方への遊技球の磁石による誘導を磁気的に検出し得る。
（第２実施形態）
図２５は、本発明の第２実施形態の要部を示している。当該第２実施形態においては、上記第１実施形態にて述べた所定のエラー画像Ｇ（図２４参照）に代えて、図２５にて示すごとく、他の所定のエラー画像Ｇ１を採用したことにその構成上の特徴がある。
【０１７９】
ここで、当該他の所定のエラー画像Ｇ１は、遊技者の磁石による不正行為を磁気エラーとして警告するための画像であるが、当該他の所定のエラー画像Ｇ１は、図２５にて示すごとく、３列の装飾図柄（例えば、１、２、３からなる各図柄）が図柄変動中（図示各矢印参照）であること及び「磁気エラー発生」という赤色の警告文字を３列の装飾図柄の上側に表示することで構成されている。なお、当該他の所定のエラー画像Ｇ１の背景は、演出表示装置１００の表示パネル１１０の前面に亘るように灰色でもって構成されている。当該他の所定のエラー画像Ｇ１は、画像制御部４００ｃのＲＯＭに予め読み出し可能に記憶されている。その他の構成は上記第１実施形態と同様である。
【０１８０】
以上のように構成した本第２実施形態において、上記第１実施形態と同様に、上記演出制御プログラムが、ステップ２２００におけるＹＥＳとの判定に伴いステップ２４００（図２２参照）に進むと、当該ステップ２４００における装飾図柄変動継続処理において、ステップ２１３０にて特別図柄変動の終了に伴いＹＥＳと判定されても、上述したステップ２１１０にて開始済みの装飾図柄変動が、終了することなく、システム制御部４００ａにより継続される。
【０１８１】
ついで、ステップ２５００におけるエラー表示演出処理において、演出表示装置１００が、システム制御部４００ａによる制御のもと画像制御部４００ｂにより制御されて、表示パネル１１０の全表面に亘り、上記第１実施形態にて述べた所定のエラー画像Ｇに代えて、他の所定のエラー画像Ｇ１を表示する。
【０１８２】
本第２実施形態でも、上述したステップ２４００における装飾図柄変動継続処理において、装飾図柄変動がシステム制御部４００ａにより継続的になされている。従って、本来ならば、当該装飾図柄変動の表示が、演出表示装置１００によりなされるのであるが、上述した所定のエラー画像Ｇ１の全面表示にあたり、演出表示装置１００が、画像制御部４００ｂによる制御のもと、当該所定のエラー画像Ｇ１を、上記装飾図柄変動の表示をその前面側から覆うように、表示パネル１１０において全面表示する。
【０１８３】
このため、演出表示装置１００は、その表示パネル１１０にて、装飾図柄変動継続中でもその装飾図柄変動の表示をすることなく、他の所定のエラー画像Ｇ１のみを全面表示することとなる。これにより、遊技者は、その不正行為に対し、他の所定のエラー画像Ｇ１、特にその「磁気エラー発生」という警告文字を中心にして警告表示され得る。その結果、遊技者は、その遊技に伴う演出表示装置１００の演出による装飾図柄変動表示を視認できないことで、他の所定のエラー画像Ｇ１によるエラー表示中の当該パチンコ遊技機による遊技の進行状況を認識し得ず、遊技の興趣を低下させてしまう。その他の作用効果は上記第１実施形態と同様である。
（第３実施形態）
図２６及び図２７は、本発明の第３実施形態の要部を示している。当該第３実施形態において、上記第１実施形態にて述べた磁気センサＳ６は、図１０にて示す配置位置に代えて、その一側厚さ方向対向壁ｅ（後述する）でもって、裏球通路部品８０の両導入路部８３、８４の間の空間領域に対応する取り付け板６０ａの両開口部６２、６３の間の板部位に対向するように、裏カバー９０の裏壁９１のうち矩形開口部９１ａの斜め左下側部位にその内側（前側）から支持されている。
【０１８４】
ここで、当該磁気センサＳ６は、その両側幅方向対向壁ｃ、ｄのうち一側幅方向対向壁ｃにて、図２６にて図示左方を臨み、他側幅方向対向壁ｄにて、図示右方を臨むように、配置することでなされている。
【０１８５】
これにより、磁気センサＳ６は、一側幅方向磁気検出領域Ｆｃ（図１６参照）内に普通入賞口装置６０ｃ及びその近傍を含み、また、他側幅方向磁気検出領域Ｆｄ内に普通入賞口装置６０ｄ及びその近傍を含むように、配置されている。その他の構成は、上記第１実施形態と同様である。
【０１８６】
以上のように構成した本第３実施形態において、上記第１実施形態と同様に、例えば、遊技者が、磁石を、前扉Ｄの透明板Ｄａにその前側から当てた状態にて、当該磁石を、その磁気により、例えば、普通入賞口装置６０ｃ或いは普通入賞口装置６０ｄの近辺に達する遊技球を普通入賞口装置６０ｂ或いは普通入賞口装置６０ｃの入賞口に向けて誘導するような不正行為をしようとするものとする。
【０１８７】
ここで、磁気センサＳ６は、上述のごとく、その一側幅方向対向壁ｃにて、図２６にて図示左方を臨み、他側幅方向対向壁ｄにて、図示右方を臨むように、裏カバー９０の裏壁９１のうち矩形開口部９１ａの斜め左下側部位にその内側から配設されており、当該磁気センサＳ６は、その一側厚さ方向対向壁ｅにて、裏球通路部品８０の両導入路部８３、８４の間の空間領域に対向している。また、当該磁気センサＳ６は、上述のごとく、一側幅方向磁気検出領域Ｆｃ内に普通入賞口装置６０ｃ及びその近傍を含み、他側幅方向磁気検出領域Ｆｄ内に普通入賞口装置６０ｄ及びその近傍を含むように位置している。
【０１８８】
従って、上述のように当該磁石を、その磁気により、普通入賞口装置６０ｃ或いは普通入賞口装置６０ｄの近辺に達する遊技球を普通入賞口装置６０ｂ或いは普通入賞口装置６０ｃの入賞口に向けて誘導するように、透明板Ｄａに沿い移動させるとき、当該磁石が遊技球を普通入賞口ユニット６０に誘導し得る程度の強さの磁気を有すれば、当該磁石の磁気は、磁気センサＳ６により検出される。
【０１８９】
換言すれば、遊技者が磁石の磁気により遊技球を普通入賞口装置６０ｂ或いは普通入賞口装置６０ｃの入賞口に向けて誘導するという不正行為が磁気センサＳ６により検出される。このことは、上記第１実施形態と同様に、磁気センサＳ６が上述のような広い磁気検出範囲を有することから、単一の磁気センサＳ６でもって、普通入賞口装置６０ｂ及び普通入賞口装置６０ｃの双方への遊技球の磁石による誘導を磁気的に検出し得る。その他の作用効果は、上記第１実施形態と同様である。
【０１９０】
なお、本発明の実施にあたり、上記各実施形態に限ることなく、次のような種々の変形例が挙げられる。
（１）本発明の実施にあたり、上記各実施形態にて述べた磁気センサＳ６は、遊技盤１０の盤面部品取り付け用開孔部１２に代えて、例えば、遊技盤１０の他の盤面部品取り付け用開孔部１３や１４に対向するように裏カバー９０に支持するようにしてもよい。
（２）本発明の実施にあたり、上記各実施形態にて述べた磁気センサＳ６は、裏カバー９０に限ることなく、裏球通路部品８０の連通路部８１及び各導入路部８２〜８４のいずれかの内部或いは各導入路部８２〜８４のうちの両隣接導入路部の間にて連通路部８１上にて、遊技盤１０の盤面部品取り付け用開孔部１２に対向するように支持してもよい。
（３）本発明の実施にあたり、上記実施形態にて述べた裏球通路部品８０は、廃止してもよい。
（４）本発明の実施にあたり、上記第１実施形態にて述べた磁気センサＳ６に加えて、当該磁気センサＳ６と同様の構成を有する他の磁気センサを準備して、当該他の磁気センサを、普通入賞口ユニット６０の両普通入賞口装置６０ｂ、６０ｃの間に対向するように、図１０或いは図２６にて示す向きにて、裏カバー９０の裏壁９１に支持するようにしてもよい。
（５）本発明の実施にあたり、磁気センサＳ６は、上記第１実施形態にて述べた配置位置に限定することなく、遊技盤１０の盤面部品取り付け用開孔部１２に対向するように、裏カバー９０に支持されていてもよい。
（６）本発明の実施にあたり、上記第１実施形態にて述べた主制御装置２００のＲＡＭ２４０は、ＶＲＡＭに限ることなく、当該パチンコ遊技機への給電を停止時以降においても、当該給電停止前の記憶内容をそのまま保持し得るメモリーであればよい。
（７）本発明の実施にあたり、前扉Ｄは、上記実施形態にて述べた透明板Ｄｂに代えて、透視可能な樹脂板その他の樹脂板を有していてもよい。
（８）本発明の実施にあたり、演出表示装置１００は、上記第１実施形態とは異なり、所定のエラー画像Ｇでもって、上記装飾図柄変動の表示をその前面側から覆うように、表示パネル１１０において表示すればよく、全面表示とは限らない。
【０１９１】
ここで、演出表示装置１００は、磁石センサＳ６のエラー検出に基づき、所定のエラー画像を、遊技演出を停止または中断することなく、上記演出表示中の表示内容を視認できないようにその前側から覆うべく表示するようにしてもよい。
【符号の説明】
【０１９２】
Ｂ…遊技機本体、Ｓ６…磁気センサ、１０…遊技盤、１０ａ…中央開口部、
１２〜１４…盤面部品取り付け用開孔部、３０、４０…始動入賞口装置、
６０ｂ〜６０ｄ…普通入賞口装置、７０…大入賞口装置、
８０…裏球通路部品、９０…裏カバー、１００…演出表示装置。
【図１】
2017189454.tif 000003
【図２】
2017189454.tif 000004
【図３】
2017189454.tif 000005
【図４】
2017189454.tif 000006
【図５】
2017189454.tif 000007
【図６】
2017189454.tif 000008
【図７】
2017189454.tif 000009
【図８】
2017189454.tif 000010
【図９】
2017189454.tif 000011
【図１０】
2017189454.tif 000012
【図１１】
2017189454.tif 000013
【図１２】
2017189454.tif 000014
【図１３】
2017189454.tif 000015
【図１４】
2017189454.tif 000016
【図１５】
2017189454.tif 000017
【図１６】
2017189454.tif 000018
【図１７】
2017189454.tif 000019
【図１８】
2017189454.tif 000020
【図１９】
2017189454.tif 000021
【図２０】
2017189454.tif 000022
【図２１】
2017189454.tif 000023
【図２２】
2017189454.tif 000024
【図２３】
2017189454.tif 000025
【図２４】
2017189454.tif 000026
【図２５】
2017189454.tif 000027
【図２６】
2017189454.tif 000028
【図２７】
2017189454.tif 000029